(57)【要約】【課題】この発明は、乗り降りが極めて容易に行える自転車用低床フレームの提供にある。【解決手段】ハンガー部ラグの前面に前方へ一体に延設して低床部を具え、その低床部の前端の上面にメインパイプ接続部を具え、ハンガー部ラグの上面に一体に突設して立パイプ接続部を具え、ハンガー部ラグの背面の左右に一体に並列突設してチエンステー接続部を具えて形成される低床部付ハンガーラグを設け、そのメインパイプ接続部にメインパイプ後端を接続し、立パイプ接続部に立パイプを接続し、チエンステー接続部にチエンステーを接続してなる自転車用低床フレーム。【選択図】図１
2006001443.tif 000002
【特許請求の範囲】
【請求項１】
ヘッドパイプと前端が接続されるメインパイプの後端と接続するハンガーラグを、ハンガー部ラグの前面に前方へ一体に延設して低床部を具え、その低床部の前端の上面に上方へ垂直若しくは前方へ垂直に近い傾斜角で突出するメインパイプ接続部を具え、ハンガー部ラグの上面に一体に突設して立パイプ接続部を具え、ハンガー部ラグの背面の左右に一体に並列突設してチエンステー接続部を具えて形成される低床部付ハンガーラグにより構成し、その低床部付ハンガーラグの低床部のメインパイプ接続部にメインパイプの略垂直に形成される後端を接続し、立パイプ接続部に立パイプを接続し、チエンステー接続部にチエンステーを接続し、チエンステーの後端に接続するエンドプレートと立パイプの上部にバックホークを差渡し接続してなる自転車用低床フレーム。
【請求項２】
前記低床部の前端のメインパイプ接続部の基部背面と立パイプ接続部の基部正面とにリブを形成してなる請求項１の自転車用低床フレーム。
【請求項３】
前記低床部の前端のメインパイプ接続部と、ハンガー部ラグとの中間の横断面をＴ字形に形成してなる請求項１または請求項２の自転車用低床フレーム。
【請求項４】
前記低床部の前端のメインパイプ接続部と、ハンガー部ラグとの中間の横断面をＴ字形に形成し、そのＴ字形の上板部の上面をフラット低床面に形成し、下方の垂下板部の両側面には、ワイヤーガイドを取付け、フラット低床面下にブレーキワイヤー、ロックワイヤー等の各種ワイヤーを配線してなる請求項１、請求項２または請求項３の自転車用低床フレーム。
【請求項５】
ヘッドパイプと前端が接続されるメインパイプの後端と立パイプの下端とチエンステーの前端を接続する低床部付ハンガーラグを、上面に立てパイプの下端と接続する立パイプ接続部を具え、背面にチエンステーを具えたハンガー部ラグの前面に形成される低床用パイプ接続部に低床用パイプの後端を接続し、前方へ所要長さ一体に延設すると共に、その低床用パイプの前端に、上面にメインパイプ接続部が形成されるＬ型連結ラグの背面に形成された低床用パイプ接続部に低床用パイプの前端を接続し、Ｌ型連結ラグとハンガー部ラグの間を低床部に構成して設け、Ｌ型連結ラグの上面のメインパイプ接続部にメインパイプの後端を垂直若しくは前方へ垂直に近い傾斜角で垂下させて接続し、ハンガー部ラグの上面の立パイプ接続部に立パイプを接続し、ハンガー部ラグの背面の左右に一体に並列して形成されるチエンステー接続部にチエンステーを接続し、チエンステーの後端に接続するエンドプレートと立パイプの上部とにバックホークを差渡し接続してなる自転車用低床フレーム。
【発明の詳細な説明】
【技術分野】
【０００１】
この発明は、乗り降りが極めて容易に行える自転車用低床フレームに関するものである。
【背景技術】
【０００２】
従来、図１０に示すように、一般の自転車用フレーム２１のヘッドパイプ２２とハンガーラグ２４を接続するメインパイプ２３は、強度上から、下半部を所要の半径で湾曲している。このため、ハンガーラグ２４の前方の湾曲が邪魔になり、低い位置で足をスムーズに出し入れできない欠点があった。
【０００３】
これを改善するため、意匠登録第１０８１２５４号公報の自転車用フレームが提案されている。しかし、メインパイプを車輪径に沿って下半まで前方に湾曲させ、その下端を９０度以上・後方に屈曲し、ハンガーラグに水平状態で接続してなるものである。そこで、ハンガーラグとの間で足の通り幅は拡大されたが、応力が前記屈曲部に集中し、フレームの強度が確保できないものであった。
【０００４】
前記応力が自転車用フレームのメインパイプの屈曲部に集中せず、しかも、乗降の容易を目的として、例えば、特開２００３−４０１７６号公報が発行されている。この提案によると、ハンガーとヘッドパイプを接続するメインパイプは、ハンガーの前方へ足の長さの直線部分と、その前端からパイプの径の略４倍の半径のＲで湾曲されてヘッドパイプに接続されるものである。そこで、足の長さ＋半径Ｒ分だけ、一般の自転車用フレームのメインパイプに比較して、この提案の自転車用フレームのメインパイプは、前方にプラス延長し、前車輪を後車輪より小径車輪にすることにより、サドルとハンドル間隔を従来と同様に保持しているのである。
【特許文献１】意匠登録第１０８１２５４号公報
【特許文献２】特開２００３−４０１７６号公報
【発明の開示】
【発明が解決しようとする課題】
【０００５】
この発明は、ハンガーの前方に構成される略水平低床面にメインパイプの下端を略垂直に近い角度で垂下接続し、ハンガーとの間に足の通る十分な間隔を構成し、同一径の前後車輪でデザイン性に優れ、乗降が極めて容易な自転車用低床フレームを提供することを目的になされたものである。
【課題を解決するための手段】
【０００６】
ヘッドパイプと前端が接続されるメインパイプの後端と接続するハンガーラグを、ハンガー部ラグの前面に前方へ一体に延設して低床部を具え、その低床部の前端の上面に上方へ垂直若しくは前方へ垂直に近い傾斜角で突出するメインパイプ接続部を具え、ハンガー部ラグの上面に一体に突設して立パイプ接続部を具え、ハンガー部ラグの背面の左右に一体に並列突設してチエンステー接続部を具えて形成される低床部付ハンガーラグにより構成し、その低床部付ハンガーラグの低床部のメインパイプ接続部にメインパイプの略垂直に形成される後端を接続し、立パイプ接続部に立パイプを接続し、チエンステー接続部にチエンステーを接続し、チエンステーの後端に接続するエンドプレートと立パイプの上部にバックホークを差渡し接続してなる自転車用低床フレームにある。
【０００７】
前記低床部の前端のメインパイプ接続部の基部背面と立パイプ接続部の基部正面とにリブを形成してもよいものである。
【０００８】
前記低床部の前端のメインパイプ接続部と、ハンガー部ラグとの中間の横断面をＴ字形に形成してもよいものである。なる請求項１または請求項２の自転車用低床フレーム。
【０００９】
前記低床部の前端のメインパイプ接続部と、ハンガー部ラグとの中間の横断面をＴ字形に形成し、そのＴ字形の上板部の上面をフラット低床面に形成し、下方の垂下板部の両側面には、ワイヤーガイドを取付け、フラット低床面下にブレーキワイヤー、ロックワイヤー等の各種ワイヤーを配線してもよいものである。
【００１０】
ヘッドパイプと前端が接続されるメインパイプの後端と立てパイプの下端とチエンステーの前端を接続する低床部付ハンガーラグを、上面に立てパイプの下端と接続する立パイプ接続部を具え、背面にチエンステーを具えたハンガー部ラグの前面に形成される低床用パイプ接続部に低床用パイプの後端を接続し、前方へ所要長さ一体に延設すると共に、その低床用パイプの前端に、上面にメインパイプ接続部が形成されるＬ型連結ラグの背面に形成された低床用パイプ接続部に低床用パイプの前端を接続し、Ｌ型連結ラグとハンガー部ラグの間を低床部に構成して設け、Ｌ型連結ラグの上面のメインパイプ接続部にメインパイプの後端を垂直若しくは前方へ垂直に近い傾斜角で垂下させて接続し、ハンガー部ラグの上面の立パイプ接続部に立パイプを接続し、ハンガー部ラグの背面の左右に一体に並列して形成されるチエンステー接続部にチエンステーを接続し、チエンステーの後端に接続するエンドプレートと立パイプの上部とにバックホークを差渡し接続してなる自転車用低床フレームとしてもよいものである。
【発明の効果】
【００１１】
この発明の自転車用低床フレームは、前述のように構成されるから、メインパイプの後端をほぼ垂直か、やや垂直に近い前傾角度で垂下させ、低床部付ハンガーラグの低床部の前端のメインパイプ接続部にストレートに接続し、メインパイプ接続部と立パイプ接続部との間を低床部により足が余裕を持って出し入れできるフラットな低床面に構成し、しかも、メインパイプとの接続部の強度を確保して構成できるのである。したがって、乗降が極めて容易で、デザイン性に優れ、前後の車輪を同径のものを装備することができる。
【００１２】
また、低床部の上面の高さを低く設定し、足の出し入れを従来に比較して極めて容易にし、下半の両側面にワイヤーガイドを取付けて、ブレーキワイヤー、ロックワイヤー等の各種ワイヤーを、機能性、保持性、デザイン性、安全性等を確保して配線することができる。
【００１３】
また、この発明の自転車用低床フレームは、接着工法、ロー付け溶接工法等により、剛性が大で、堅牢なものを提供できる。
【発明を実施するための最良の形態】
【００１４】
ヘッドパイプと前端が接続されるメインパイプの後端と接続するハンガーラグを、ハンガー部ラグの前面に前方へ、中間の横断面がＴ字型の低床部を一体に延設して具え、その低床部の前端の上面に上方へ垂直若しくは前方へ垂直に近い傾斜角で突出するメインパイプ接続部を具え、ハンガー部ラグの上面に一体に突設して立パイプ接続部を具え、前記低床部の前端のメインパイプ接続部の基部背面と立パイプ接続部の基部正面とにリブを形成し、ハンガー部ラグの背面の左右に一体に並列突設してチエンステー接続部を具えて形成される低床部付ハンガーラグにより構成し、その低床部付ハンガーラグの低床部のメインパイプ接続部にメインパイプの略垂直に形成される後端を接続し、立パイプ接続部に立パイプを接続し、チエンステー接続部にチエンステーを接続し、チエンステーの後端に接続するエンドプレートと立パイプの上部とにバックホークを差渡し接続してなる自転車用低床フレーム。
【実施例】
【００１５】
以下、この発明の自転車用低床フレームを、先ず、図１〜図６に示す第１の実施例の自転車用低床フレーム１により説明すると、ヘッドパイプ２と前端が接続されるメインパイプ３の後端３ａと接続するハンガーラグを、ハンガー部ラグ４ａの前面に前方へ一体に延設して低床部４ｂを具え、その低床部４ｂの前端部４ｂ１の上面に上方へ垂直若しくは前方へ垂直に近い傾斜角で突出するメインパイプ接続部４ｃを具え、ハンガー部ラグ４ａの上面に一体に突設して立パイプ接続部４ｄを具え、ハンガー部ラグ４ａの背面の左右に一体に並列突設してチエンステー接続部４ｅを具えて形成される低床部付ハンガーラグ４により構成し、その低床部付ハンガーラグ４の低床部４ｂのメインパイプ接続部４ｃにメインパイプ３の略垂直に形成される後端３ａを接続し、立パイプ接続部４ｄに立パイプ５を接続し、チエンステー接続部４ｅにチエンステー６を接続し、チエンステー６の後端に接続するエンドプレート７と立パイプ５の上部とにバックホーク８を差渡し接続してなるものである。
【００１６】
前記低床部４ｂの前端４ｂ１のメインパイプ接続部４ｃと、ハンガー部ラグ４ａとの中間の横断面は、図４に示ように、Ｔ字形に形成し、上板部４ｂ２の上面をフラット低床面に形成している。そして、下方の垂下板部４ｂ３の両側面には、ワイヤーガイド９ａ、９ｂを取付け、フラット低床面下にブレーキワイヤー、ロックワイヤー等の各種ワイヤーを配線し、機能性、保持性、デザイン性、安全性等を確保している。また、低床部付ハンガーラグ４の鋳造成型時の型離れを良くしている。
【００１７】
デザイン上からは、図５に示すように、異形楕円パイプ型４ｂ４、図示しないが、上下対象の楕円パイプ型、円パイプ型およびその他の形状に形成してもよいものである。
【００１８】
さらに、図６に示すように、メインパイプ接続部４ｃの基部背面と立パイプ接続部４ｄの基部正面とにリブ４ｃ１、４ｄ１を形成してもよいものである。
【００１９】
この発明の第１の実施例の自転車用低床フレーム１は、前述のように構成されるから、先端がヘッドパイプ２に接続するメインパイプ３の後端３ａをほぼ垂直か、やや垂直に近い前傾角度で垂下させ、低床部付ハンガーラグ４の低床部４ｂの前端４ｂ１の上面に形成したメインパイプ接続部４ｃに、従来のように湾曲して水平方向に向けることなく、ストレートに接続することができるのである。そして、メインパイプ接続部４ｃと立パイプ接続部４ｄとの間を低床部４ｂにより足が余裕を持って出し入れできるフラットな低床面を、ハンガー部ラグ４ａの前方を前後に延長することなく従来と同間隔で、しかも、メインパイプ３との接続部の強度を確保して構成できるのである。したがって、前後の車輪を同径のものを装備することができる。
【００２０】
前記低床部４ｂの前端４ｂ１のメインパイプ接続部４ｃと、ハンガー部ラグ４ａとの中間の横断面をＴ字形に形成したときには、上板部４ｂ２により上面をフラット低床面に形成し、特に足の出し入れを従来に比較して極めて容易にし、下方の垂下板部４ｂ３の両側面にワイヤーガイド９ａ、９ｂを取付けて、フラット低床面下にブレーキワイヤー、ロックワイヤー等の各種ワイヤーを、機能性、保持性、デザイン性、安全性等を確保して配線することができる。また、前後端の複雑な形状に対して中間部の形状を単純なものとし、鋳造成型時の型離れを良くし、製造コスト低減に寄与するものである。
【００２１】
次に、図７および図８に示す第２の実施例の自転車用低床フレーム１１について説明すると、ヘッドパイプ１２と前端が接続されるメインパイプ１３の後端１３ａと立てパイプ１５の下端とチエンステー１６の前端を接続する低床部付ハンガーラグ１４を、上面に立てパイプ１５の下端と接続する立パイプ接続部１４ｄを具え、背面にチエンステー１４ｅを具えたハンガー部ラグ１４ａの前面に形成される低床用パイプ接続部１４ａ１に低床用パイプ１４ｂ１の後端を接続し、前方へ所要長さ一体に延設すると共に、その低床用パイプ１４ｂ１の前端に、上面にメインパイプ接続部１４ｃ２が形成されるＬ型連結ラグ１４ｃの背面に形成された低床用パイプ接続部１４ｃ１に低床用パイプ１４ｂ１の前端を接続し、Ｌ型連結ラグ１４ｃとハンガー部ラグ１４ａの間を低床部１４ｂに構成して設け、Ｌ型連結ラグ１４ｃの上面のメインパイプ接続部１４ｃ２にメインパイプ１３の後端１３ａを垂直若しくは前方へ垂直に近い傾斜角で垂下させて接続し、ハンガー部ラグ１４ａの上面の立パイプ接続部１４ｄに立パイプ１５を接続し、ハンガー部ラグ１４ａの背面の左右に一体に並列して形成されるチエンステー接続部１４ｅにチエンステー１６を接続し、チエンステー１６の後端に接続するエンドプレート１７と立パイプ１５の上部とにバックホーク１８を差渡し接続してなるものである。
【００２２】
前記低床用パイプ１４ｂ１の横断面は、図９に示すように、楕円型に形成している。
【００２３】
前記第２の実施例の自転車用低床フレーム１１は、ロー付け溶接によるものであって、その代表例を説明すると、
１．切断したパイプを適時、曲げ加工、端面処理をする。ここでは、例えば、上記各種のパイプの曲げ加工、修正加工、端面処理が入る。
２．ラグおよびパイプ類の油分を取り除くため、湯洗、酸洗などを行い、溶接を付き易くする為薬品を付ける。
３．治具に上記パイプ、ラグをセットし、溶接嵌合部を圧入する。通常、ロー付けの場合、ラグが外側、パイプが内側になる。
４．ラグとパイプがずれない様、治具上で仮溶接をする。
５．治具から取り外して接合部のラグ周辺をバーナーで熱しながら、ロー線を差して接合部全体にローを廻す。
６．冷却した後、加熱によるフレームの変形を修正する。
工程は、低床部付ハンガーラグ１４を製造し、それから前端のメインパイプ１３を、また、後端の立パイプ１５とチエンステー１６を接続する。
【００２４】
第２の実施例の自転車用低床フレーム１１は、前述のように構成されるから、前記第１の実施例の自転車用低床フレーム１と同様に、メインパイプ１３の後端１３ａをほぼ垂直か、やや垂直に近い前傾角度で垂下させ、低床部付ハンガーラグ１４の低床部４ｂの前端のＬ型連結ラグ１４ｃのメインパイプ接続部１４ｃ２に、従来のように湾曲して水平方向に向けることなく、ストレートに接続することができるのである。そして、Ｌ型連結ラグ１４ｃの背面とハンガー部ラグ１４ａの前面との間の低床部１４ｂにより足が余裕を持って出し入れできるフラットな低床面を、従来のヘッドパイプとハンガーと同間隔、即ち、ハンガーの前方を延長することなく従来と同様に構成できるのである。したがって、前後の車輪を同径のものを装備することができる。
【００２５】
また、低床部１４ｂの上面の高さ低く設定し、足の出し入れを従来に比較して極めて容易にし、下半の両側面にワイヤーガイド（図示しない）を取付けて、ブレーキワイヤー、ロックワイヤー等の各種ワイヤーを、機能性、保持性、デザイン性、安全性等を確保して配線することができる。
【００２６】
また、第２の実施例の自転車用低床フレーム１１は、ロー付け溶接により、剛性が大で、堅牢なものを提供できる。
【産業上の利用可能性】
【００２７】
この発明の自転車用低床フレームは、必要な強度を確保し、足の出し入れの極めて容易な安全な一般自転車からアシスト自転車まで広く提供できる。
【図面の簡単な説明】
【００２８】
【図１】この発明の第１の実施例の自転車用低床フレームを示す側面図である。
【図２】同じく、その要部となるハンガー部ラグ分の拡大側面図である。
【図３】同じく、拡大底面図である。
【図４】同じく、図２のＡ−Ａ線に沿う断面図である。
【図５】同じく、図２のＡ−Ａ線に沿う部分の他の形状の実施例を示す断面図である。
【図６】同じく、ハンガーラグの前部の立上接続部の背面と後部の立上接続部の前面とにリブを夫々形成した実施例を示す拡大側面図である。
【図７】この発明の第２の実施例の自転車用低床フレームを示す側面図である。
【図８】同じく、その第２の実施例の要部となるハンガー部ラグ分の拡大側面図である。
【図９】同じく、図８のＢ−Ｂ線に沿う断面図である。
【図１０】従来の自転車用フレームの一般的例を示す側面図である。
【符号の説明】
【００２９】
１  第１の実施例の自転車用低床フレーム
２  ヘッドパイプ
３  メインパイプ
３ａ  後端
４  低床部付ハンガーラグ
４ａ  ハンガー部ラグ
４ｂ  低床部
４ｂ１  前端
４ｂ２  上板部
４ｂ３  垂下板部
４ｂ４  異形楕円パイプ型
４ｃ１  リブ
４ｃ  メインパイプ接続部
４ｃ１  リブ
４ｄ  立パイプ接続部
４ｄ１  リブ
４ｅ  チエンステー接続部
５  立パイプ
６  チエンステー
７  エンドプレート
８  バックホーク
９ａ  ワイヤーガイド
９ｂ  ワイヤーガイド
１１  第２の実施例の自転車用低床フレーム
１２  ヘッドパイプ
１３  メインパイプ
１３ａ  後端
１４  低床部付ハンガーラグ
１４ａ  ハンガー部ラグ
１４ａ１  低床用パイプ接続部
１４ｂ１  低床用パイプ
１４ｂ  低床部
１４ｃ  Ｌ型連結ラグ
１４ｃ１  低床用パイプ接続部
１４ｃ２  メインパイプ接続部
１４ｄ  立パイプ接続部
１４ｅ  チエンステー接続部
１５  立パイプ
１６  チエンステー
１７  エンドプレート
１８  バックホーク
【図１】
2006001443.tif 000003
【図２】
2006001443.tif 000004
【図３】
2006001443.tif 000005
【図４】
2006001443.tif 000006
【図５】
2006001443.tif 000007
【図６】
2006001443.tif 000008
【図７】
2006001443.tif 000009
【図８】
2006001443.tif 000010
【図９】
2006001443.tif 000011
【図１０】
2006001443.tif 000012